(57)【要約】      （修正有）【課題】スマートフォンを利用した救急初期医療促進化システムネットワークを提供する。【解決手段】スマートフォンにアプリケーションを搭載し、情報ネットワークを構築する。あらかじめ、個人情報（既往歴、常用薬を含む）を掛かり付けの病院等でスマートフォン４のアプリケーションに入力しておく。第一発見者７は患者６のスマートフォン４を用い、容態を記録する。同時にバイタル測定機器を用いて、バイタル値を測定し、サーバー２を介して、医師３や救急隊１が共有できるようにする。すなわち、スマートフォンが医療者の目や口の変わりとなり、救急隊が駆けつけるまでに医師の視診が完了するという状況を作る。家庭用機器５や定点設置機器８（老健施設などに設置）により、いつ発生するか分からない緊急時に備える。【選択図】図１
2015141709.tif 000002
【特許請求の範囲】
【請求項１】
スマートフォン４を中心にアプリケーションを搭載し、救急隊及び医療関係者１及び３で情報を共有できる仕組みを設けたシステム。本発明は、今まで医療従事者が行っていたバイタル測定を患者自身又は、患者により近い人間が代行することにより、より効率の良い救急医療体制の実現を試みたものである。
【発明の詳細な説明】
【技術分野】
【０００１】本発明は、救急医療において、救急コールから救急隊到着までの平均９分間、医療処置が行えなった現状を憂い、救命率向上の為に考案された情報共有システムに関するものである。
【背景技術】
【０００２】従来から、救急医療における患者搬送時の情報伝達は、電話による音声伝達が主である。しかし、音声だけでは情報は的確に伝わらない。また、現存のシステムは救急隊が到着してから病院搬送までをいかに効率よく行うかに腐心している。一方、患者目線のサービスを探してみると、患者は医療を提供される受け身の立場であるので、患者が自分の為に医療機関を改善しようとする試みは極端に少ない。企業や行政が関与し、患者目線で試みたものは、いくつか見つかる。しかし、啓発的なものや学習教材的な要素の強いものがほとんどで、１分１秒を争う緊急時には役に立たない。緊急時に使えるものは皆無といっていい状況である。一方で、社会背景を考えると、スマートフォンの普及が著しい。
そして、スマートフォンには、動画録音と音声会話の機能が標準装備されている。そこで、スマートフォンを用いることにより患者の緊急時、如何に医師がアプローチできるかに関してインフラ整備に関する発明である。［特許文献１］のようにバイタル値を共有するシステムの提案はあるが、スマートフォンを利用し、個々の患者の自発的なシステムの提案はない。
【先行技術文献】
【０００３】
【特許文献１】特開２００３−１１６７９７（Ｐ２００３−１１６７９７Ａ）
【発明の概要】
【発明が解決しようとする課題】
【０００４】救急医療において、医師が１分１秒でも早く、患者に到達することは重要である。問題解決のための試みとして、ヘリコプターや車を用いて，医師を現場まで派遣しようとする試みや、救急車における搬送システムにおいて、救急車が病院到着までの時間効率を改善するための試みはすでになされている。しかし、これらは次のような欠点があった。
（イ）Ｄｒ．ＨｅｌｉやＤｒ．Ｃａｒの取り組みは如何に医師が患者に到着するかに腐心している。しかし，派遣できる医師のリソースが限られている、天候・時刻・場所等にと多くの条件に左右されるなど問題を抱えている。
（ロ）ｅ−ＭＡＴＣＨシステム等  救急搬送から病院までの効率を向上させようとする試みは行われているが、医療従事者側の入力の手間がかかるなど、利便性の面から、導入されてもあまり活用されていない実情がある。
本発明は、以上のような取り組みの欠点を踏まえ、患者の発症直後の容態を病院の医師、救急隊が初期段階から共有し、治療の効率化・救命率向上を目指すものである。
【問題を解決するための手段】
【０００５】本発明は、スマートフォンを使ったアプリケーションを基本とした情報共有システムである。スマートフォンは多くの人が持ち歩き、簡易コンピューターの代替を果たす程性能が向上してきている。そこで、スマートフォンを簡易遠隔診療所のメインコンピュータ（プラットフォーム）とみなすことができれば、スマートフォンがあるところを中心にどこにでも診療所ができることになる。
これは、Ｐｏｒｔａｂｌｅ  Ｄｏｃｔｏｒという新しい発想である。患者が医師のもとに行くのではなく、患者がいるところが診察室になるのである。スマートフォンには、動画録音と音声会話の機能が標準装備されている。これが医師の目と口の変わりとなる。音声文字認識機能を搭載し、バイタル測定機器と連動させ、そのデータをスマホにデータ送信をし、その後電子カルテと連動してデータを反映させる。電子カルテに反映させることで、入力の手間を省くことができ、初期の治療の貴重な時間を確保できる。発症直後に得られた情報は、貴重な情報である。本発明は、スマートフォンとそれに搭載されたアプリケーション、バイタル値を測定できる電子機器、そしてそれらの活きた情報を添付できる電子カルテの構成よりなる。
【発明の効果】
【０００６】（イ）患者は（特に突発性疾患を抱えた患者）は、常に医師にコンタクトできる安心感を得ることができる。
（ロ）適切な治療、初期診断間での時間短縮により、救命率向上が見込まれる。
（ハ）救急隊はプレホスピタルケアに対して時間をかけることができ、処置に集中できる。
（ニ）救急患者発生場所の詳細情報が把握できる。
（ホ）医師は診断の方針を立てやすくなる。
（ヘ）診断にかかる時間の短縮、及び無駄をなくせることによる人材配置の方法を改良することができる。必要な医療従事者を適材適所に配置できることにより労働力の偏在を解消する
（ト）救命率・社会復帰率の向上が見込まれる。
（チ）ＡＥＤ、バイタル測定器と併せると、更なる救命率・社会復帰率の向上が見込まれる。
（リ）非医療従事者でも、救命に貢献できる。
以上から、結果として救急医療初期診断を効率化し，患者の救命率向上に寄与する。
【発明を実施するための形態】
【０００７】以下、本発明を実施するための形態について説明する。本発明は，スマートフォンに搭載可能なアプリケーションを基本とした情報共有システムである。スマートフォンの急速な普及と、標準機能（録画と通話）機能を利用したものである。付加的に、スマートフォンを固定するための三脚等の器具や、持ち運び可能なバイタル値測定器、緊急時にのみ作動する固定型家庭設置電気器具をも含む。本発明は、以上のような構造である。これらにより、“医師が常に側にいる”という疑似状況を作り、患者を診療所に運ぶのではなく、患者が発症した場所が診療所になるという発想の転換が可能になる。アプリケーション頒布方法は、▲１▼病院・診療所の受付によるインストール（患者情報の入力）、▲２▼新聞・広告・情報誌などにＱＲコードなど掲載、▲３▼１１９コールに伴って、ＵＲＬコードを送信、▲４▼標準アプリとしてスマホに配備する方法など、様々考えられる。
【図面の簡単な説明】
【０００８】
【図１】本発明の実施形態の情報共有システムを用いた救急初期医療促進化システムを示した説明図である。
【図２】アプリケーションの基本操作画面を示した説明図である。
【図３】バイタル値測定機器の例を示した説明図である。
【符号の説明】
【０００９】１ａ  救急車
１ｂ  救急隊端末
２  サーバー
３ａ  医師
３ｂ  病院端末
３ｃ  電子カルテ
４  スマートフォン
５  家庭用カメラ付き電子機器
６  患者
７  第一発見者（家族）
８  定点設置電子機器
９  ＡＥＤ
１０  三脚
１１  バイタル測定機器
１２  アプリケーション基本画面
１３  救急車位置情報
１４  ＡＥＤ設置場所
１５  モバイル型バイタル測定器
【図１】
2015141709.tif 000003
【図２】
2015141709.tif 000004
【図３】
2015141709.tif 000005